(57)【特許請求の範囲】
【請求項１】
有底筒状で底面（１１ａ）に開口（１１ｂ）が形成されたカップ状容器（１１）と、該カップ状容器（１１）の底面（１１ａ）の開口（１１ｂ）と連通する位置に配置されたコーヒー粉末収納部材（１６）とを有する簡易ドリップ式コーヒーメーカーであって、上記カップ状容器（１１）は、少なくとも片面に熱可塑性樹脂層を積層した紙基材を加熱プレスで深絞り成形して該熱可塑性樹脂層を内面とした構成であり、上記コーヒー粉末収納部材（１６）は、熱可塑性樹脂繊維を含む不織布基材を加熱プレスで深絞り成形した有底筒状で、上記カップ状容器（１１）の底面（１１ａ）の開口（１１ｂ）の周縁部と接着されるフランジ（１６ａ）を上縁に有するとともに、底面（１６ｂ）の全体もしくは底面（１６ｂ）の一部（１６ｃ）を除いて、加熱プレスによる熱可塑性樹脂繊維同士の結合による非通水性を有し、上記カップ状容器（１１）の底面（１１ａ）または上記コーヒー粉末収納部材（１６）のフランジ（１６ａ）の上面に該カップ状容器（１１）の底面（１１ａ）の開口（１１ｂ）を覆うように濾紙（１３）が貼着され、該濾紙（１３）とコーヒー粉末収納部材（１６）の底面（１６ｂ）の間にコーヒー粉末（１５）が封入されていることを特徴とする簡易ドリップ式コーヒーメーカー。
【請求項２】
上記コーヒー粉末収納部材（１６）のフランジ（１６ａ）が上記カップ状容器（１１）の底面（１１ａ）に加熱接着され、上記濾紙（１３）が、上記カップ状容器（１１）の底面（１１ａ）または上記コーヒー粉末収納部材（１６）のフランジ（１６ａ）の上面に加熱接着されたことを特徴とする請求項１記載の簡易ドリップ式コーヒーメーカー。
【請求項３】
上記濾紙（１３）が熱可塑性樹脂繊維を含む不織布により構成されたことを特徴とする請求項２記載の簡易ドリップ式コーヒーメーカー。
【請求項４】
上記カップ状容器（１１）が平面視大略三角形状に形成され、該三角形状は、各辺の中間部の少なくとも１つが該カップ状容器（１１）を載せるコーヒーカップ（１）の上縁の径方向内側に位置し、各辺の端部が該コーヒーカップ（１）の上縁の径方向外側に位置するように構成されたことを特徴とする請求項１から３のいずれか１項に記載の簡易ドリップ式コーヒーメーカー。
【発明の詳細な説明】
【０００１】
【発明の属する技術分野】
本発明は、カップ状の容器の底部にコーヒー粉末を濾過可能に封入し、コーヒーカップの上に載せて湯を注ぐことによりコーヒーを抽出する簡易ドリップ式コーヒーメーカーに関する。
【０００２】
【従来の技術】
従来、このタイプのコーヒーメーカーとして、例えば、プラスチック製のカップ状容器の底に設けた小径の段部(コーヒー粉末収納部)の底面に開口を形成するとともに、この段部の底面に濾紙を貼着して開口を覆い、その上にコーヒー粉末を入れてから段部の上面にも濾紙を貼着してコーヒー粉末を上下からサンドイッチした構成のものが知られている。また、底面に開口を形成したプラスチック製のカップ状容器と、コーヒー粉末を濾過可能に封入したコーヒーパック（コーヒー粉末収納部材）とを別体にしておき、コーヒーを入れるときにコーヒーパックを容器の底面にはめ込んでからコーヒーカップの上に載せて湯を注ぐように構成したものもある。
【０００３】
【発明が解決しようとする課題】
しかし、これらのコーヒーメーカーは、カップ状容器がプラスチック製であるため、廃棄処理に伴い、公害対策が必要であった。そこで、カップ状容器を例えば紙コップなどに用いている紙素材で形成することが考えられるが、この素材のシートを巻いて筒状にしてから底を付けてカップ状に形成したものをさらに２段に重ねるのは、製造工程が多く、コスト的に問題がある。
【０００４】
したがって、本発明の解決すべき技術的課題は、廃棄に伴う公害対策を不要とするために簡易ドリップ式コーヒーメーカーを紙製にし、しかもコーヒーメーカーを簡単かつ安価に製造できるようにすることである。
【０００５】
【課題を解決するための手段及び作用・効果】
本発明に係る簡易ドリップ式コーヒーメーカーは、有底筒状で底面に開口が形成されたカップ状容器と、カップ状容器の底面の開口と連通する位置に配置されたコーヒー粉末収納部材とを有するものであって、上述の技術的課題を解決するために、以下のように構成されたことを特徴としている。
【０００６】
すなわち、カップ状容器が、少なくとも片面に熱可塑性樹脂層を積層した紙基材を加熱プレスにより深絞り成形して熱可塑性樹脂層を内面とした構成であり、コーヒー粉末収納部材が、少なくとも片面に熱可塑性樹脂層を積層した紙基材を加熱プレスにより深絞り成形して熱可塑性樹脂層を内面とした有底筒状で、カップ状容器の開口の周縁部と接着されるフランジを上縁に有するとともに、底面には開口が形成されている。そして、カップ状容器の底面またはコーヒー粉末収納部材のフランジの上面とコーヒー粉末収納部材の底面に、各開口を覆うように濾紙が貼着され、各濾紙の間にコーヒー粉末が封入されている。
【０００７】
上記構成においては、カップ状容器とコーヒー粉末収納部材の内面がいずれも熱可塑性樹脂層になっているので、湯を注いでも紙基材に浸透することはない。したがって、カップ状容器に注いだ湯はカップ状容器の底面に貼着した濾紙を通ってコーヒー粉末収納部材内に入り、そこで浸出したコーヒーがコーヒー粉末収納部材の底面に貼着した濾紙を通って、このコーヒーメーカーを載せたコーヒーカップの中に抽出される。
【０００８】
上記構成のコーヒーメーカーは、紙として廃棄できるうえ、カップ状容器の素材を紙にしていることと加熱プレスによる深絞り成形としていることにより、簡単かつ安価に製造することができる。また、従来のコーヒーメーカーのカップ状容器はプラスチック製であったため、表面に模様などの表示を設けるにはインモールド転写などのコストのかかる方法を必要としたが、上記構成によれば、文字や模様は、深絞り成形前の紙基材に印刷により簡単に設けることができ、また、そうすることによって簡易ドリップ式コーヒーメーカーの意匠性をコストを抑えて向上させることができる。
【０００９】
なお、上記構成においては、２枚の濾紙はカップ状容器とコーヒー粉末収納部材に任意の方法で接着することが可能であるが、カップ状容器の底面またはコーヒー粉末収納部材のフランジの上面とコーヒー粉末収納部材の底面に加熱接着するように構成することが好ましい。カップ状容器とコーヒー粉末収納部材はいずれも内面が熱可塑性樹脂層であるため、これらの面に濾紙を接触させた状態で熱圧着すれば、熱可塑性樹脂層が溶融して濾紙に浸透するから、接着剤を使用しなくても濾紙を簡単に貼着できる。したがって、このように構成すれば簡易ドリップ式コーヒーメーカーをより容易に製造することができる。
【００１０】
また、濾紙として熱可塑性樹脂繊維を含む不織布を用いると、カップ状容器の底面またはコーヒー粉末収納部材のフランジの上面とコーヒー粉末収納部材の底面に熱圧着することにより、不織布内の熱可塑性樹脂繊維が溶融してカップ状容器又はコーヒー粉末収納部材側の熱可塑性樹脂と結合するので、接着をより強固にすることができる。
【００１１】
また、カップ状容器は上記と同じ構成で、コーヒー粉末収納部材を、熱可塑性樹脂繊維を含む不織布基材を加熱プレスにより深絞り成形した有底筒状で、カップ状容器の底面の開口の周縁部と接着されるフランジを上縁に有するとともに、底面の全体もしくは底面の一部を除いて、加熱プレスによる熱可塑性樹脂繊維同士の結合による非通水性を有するものとしてもよい。この場合でも、カップ状容器の底面またはコーヒー粉末収納部材のフランジの上面には、カップ状容器の底面の開口を覆うように濾紙を貼着し、この濾紙とコーヒー粉末収納部材の底面の間にコーヒー粉末が封入される。このように構成しても、簡易ドリップ式コーヒーメーカーを簡単かつ安価に製造することができ、しかも廃棄に伴う問題をなくすことができる。
【００１２】
このようにコーヒー粉末収納部材を不織布で形成した場合でも、濾紙をカップ状容器の底面またはコーヒー粉末収納部材のフランジの上面に加熱接着すると製造を容易にすることができ、濾紙として熱可塑性樹脂繊維を含む不織布を用いると、カップ状容器又はコーヒー粉末収納部材側の熱可塑性樹脂との結合をより強固にすることができる。
【００１３】
また、上記構成においては、カップ状容器の本体部を平面視大略三角形状に形成し、その三角形状を、各辺の中間部の少なくとも１つがカップ状容器を載せるコーヒーカップの上縁の径方向内側に位置し、各辺の端部がコーヒーカップの上縁の径方向外側に位置するように構成するとよい。このようにすると、本体部の三角形の少なくとも一辺がコーヒーカップの上縁を横切る状態でカップ状容器をコーヒーカップに安定して載せることができるとともに、コーヒーカップの上縁とカップ状容器の本体部との間にできた隙間から、コーヒーカップの中に抽出されたコーヒーの量を目視で確認することができる。なお、カップ状容器の本体部の平面視形状は、三角形以外の多角形や楕円形などにしてコーヒーカップの上縁との間に隙間ができるようにしてもよく、コーヒー量の視認が不要であれば、コーヒーカップの上縁よりも大きな任意の形状にすればよい。
【００１４】
【発明の実施の形態】
以下に、本発明に係る簡易ドリップ式コーヒーメーカーの実施の形態を、図１から図４を用いて詳細に説明する。
【００１５】
まず、実施の形態の第１の例について、図１及び図２を用いて説明する。図１は、このコーヒーメーカーの平面図、図２は図１の中央横断面図である。
【００１６】
このコーヒーメーカーは、カップ状容器１１とコーヒー粉末収納部材１２とから構成されている。カップ状容器１１は、少なくとも片面に熱可塑性樹脂層を積層した紙基材を加熱プレスにより深絞り成形して熱可塑性樹脂層を内面にした有底筒状であり、平面から見てほぼ三角形に形成され、底面１１ａの中央には円形の開口１１ｂが形成されている。コーヒー粉末収納部材１２は、カップ状容器１１と同じく少なくとも片面に熱可塑性樹脂層を積層した紙基材を加熱プレスにより深絞り成形して熱可塑性樹脂層を内面にした有底筒状であり、カップ状容器１１の底面１１ａから下方へ突出するように、カップ状容器１１の底面１１ａの開口１１ｂと連通する位置に配置されている。また、コーヒー粉末収納部材１２は、カップ状容器１１の開口１１ｂの周縁部と接着されるフランジ１２ａを上縁に有するとともに、底面１２ｂには、円形の開口１２ｃが形成されている。
【００１７】
カップ状容器１１は、底面１１ａの周縁から立ち上がる側壁１１ｃと、側壁１１ｃの上端から外へ張り出したフランジ１１ｄとを有している。また、側壁１１ｃの上端部分には小さな段１１ｅが設けられており、このカップ状容器１０の中へ湯を注ぐときの目安となるとともに、この段１１ｄにより、積み重ね可能となっている。
【００１８】
カップ状容器１１の底面１１ａとコーヒー粉末収納部材１２の底面１２ｂには、それぞれ、濾紙１３，１４が貼着されている。この２枚の濾紙１３，１４は熱可塑性樹脂繊維を含む不織布により構成されており、カップ状容器１１の底面１１ａとコーヒー粉末収納部材１２の底面１２ｂに対して加熱プレスにより接着されている。そして、この２枚の濾紙１３，１４の間にコーヒー粉末１５が封入されている。
【００１９】
上記構成のコーヒーメーカーは、カップ状容器１１とコーヒー粉末収納部材１２の内面が熱可塑性樹脂層になっているので、湯を注いでも紙基材に浸透することはなく、湯はカップ状容器１１の底面１１ａに貼着した濾紙１３を通ってコーヒー粉末収納部材１２内に入り、そこで浸出したコーヒーがコーヒー粉末収納部材１２の底面１２ｂに貼着した濾紙１４を通って、このコーヒーメーカーを載せたコーヒーカップ１の中に抽出される。なお、このコーヒーメーカーは平面視ほぼ三角形に形成されているため、コーヒーカップ１の上に載せたときに、カップ状容器１１の側壁１１ｂとコーヒーカップ１との間の隙間２から、コーヒーカップ１の中に注がれたコーヒーの量を確認することができる。また、カップ状容器１１は、平面視三角形状に限られるものではなく、他の形状でコーヒー量が確認できるようにしてもよい。
【００２０】
以上のように構成したコーヒーメーカーは、紙として廃棄できるうえ、熱可塑性樹脂層を有する紙基材を加熱プレスすることでカップ状容器１１とコーヒー粉末収納部材１２を成形しているので、簡単かつ安価に製造することができる。また、深絞り成形前の紙基材に印刷しておけばカップ状容器１１とコーヒー粉末収納部材１２の表面に文字や模様を表すことができるので、簡易ドリップ式コーヒーメーカーの意匠性をコストを抑えて向上させることができる。
【００２１】
なお、カップ状容器１１とコーヒー粉末収納部材１２を紙基材の深絞り成形品としたため、容器１１と収納部材１２の表面には、このコーヒーメーカーに独特の意匠性を与える縦じわが生じ、この縦じわの部分の折り癖が加熱プレス後の熱可塑性樹脂層の硬化によって固められることによってカップ形状に保持される。加熱プレスの際にこの縦じわを安定した状態で発生させるために、紙基材には、素材からの打ち抜きの際に、縦じわを発生させたい位置に押罫を設けておくとよい。
【００２２】
上記構成においては濾紙１３の直径をコーヒー粉末収納部材１２のフランジ１２ａよりも大きくしてフランジ１２ａの径方向外側位置でカップ状容器１１の底面１１ａに貼着しているが、その変形例として、図３に示すように濾紙１３の直径をコーヒー粉末収納部材１２のフランジ１２ａと同じにしてフランジ１２ａに貼着するようにしてもよい。その場合、コーヒー粉末１５を収納したコーヒー粉末収納部材１２に濾紙１３を貼着してからフランジ１２ａをカップ状容器１１に貼着するようにしてコーヒーメーカーを製造することができる。
【００２３】
なお、カップ状容器１１とコーヒー粉末収納部材１２を１枚の紙基材から深絞り成形によって一体成形することも可能であると考えられるが、その場合、深く絞る必要があるために成形温度を高くして成形時間を長くしなければならず、紙基材の表面の熱可塑性樹脂がプレス成形機に付着するおそれがある。これに対して、カップ状容器１１とコーヒー粉末収納部材１２を上述のように別体にするとそのような問題の発生を防止することもできる。つまり、成形効率をよくし、しかも不良品の発生確率を低くすることができる。
【００２４】
次に、図４に示した実施の形態の第２の例について説明する。この例ではカップ状容器１１は上述した例と同じ構成であるため、説明を省略する。コーヒー粉末収納部材１６は、熱可塑性樹脂繊維を含んだ不織布を基材として、加熱プレスによる深絞り成形で、上述した第１の例とほぼ同じ形状に形成されており、フランジ１６ａがカップ状容器１１の底面１１ａに貼着され、カップ状容器１１の開口１１ｂから下方へ突出している。また、コーヒー粉末１５が収納部材１６に充填され、不織布の濾紙１３がカップ状容器１１の底面１１ａに貼着されている。
【００２５】
コーヒー粉末収納部材１６の不織布基材は、深絞り成形の際の熱プレスにより、またはその前にもう一度熱プレスをすることにより、コーヒー粉末収納部材１６の底面１６ｂのφＡで示した部分（濾過部）１６ｃを除いて非通水性が与えられている。つまり、φＡ以外の部分（太い一点鎖線で示した部分）は、熱により熱可塑性樹脂繊維同士が溶融して結合することにより、素材がもっていた通水性が失われ、湯は、φＡで示した濾過部１６ｃのみを透過できることになる。なお、このように濾過部１６ｃ以外を非通水性としているのは、コーヒー粉末に浸出していない湯がコーヒー粉末収納部材１６の側壁部分を伝ってコーヒーカップに滴下するのを防止するためである。
【００２６】
この例においても、上述した第２の例と同様、紙として廃棄できるうえ、不織布を加熱プレスすることでカップ状容器１１及びコーヒー粉末収納部材１６を成形しているので簡単かつ安価に製造することができる。また、この例では、製造工程において、コーヒー粉末収納部材１６の底面１６ｂに穴をあけて濾紙を貼着することは不要となる。さらに、コーヒー粉末収納部材１２の底面１２ｂに開口１２ｃを形成する第１実施形態では底面１２ｂ全体を開口１２ｃにすると不織布とコーヒー粉末収納部材１２の底面１２ｂとの接着面積が小さくなり、強度が弱くなるおそれがあるが、このように構成すれば、濾過部１６ｃの面積を底面１６b全面までとして任意に設定することができるので、濾過部１６ｃの面積を比較的大きくしてコーヒーの抽出時間を短くし、湯温が下がるのを防止することもできる。
【００２７】
【実施例】
次に、第１実施形態に対応する実施例（第１実施例）について説明する。カップ状容器１１の紙基材には、秤量が２３０〜３５０ｇ／ｍ2のカップ原紙に、厚さ１５μｍのポリエチレン層と厚さ３０〜５０μｍの未延伸ポリプロピレン層を順に積層したものを用いた。また、コーヒー粉末収納部材１２には、秤量が１００ｇ／ｍ2のサラシクラフトの両面に厚さ１５μｍのポリエチレン層と厚さ２０μｍの未延伸ポリプロピレン層を順に積層したものを用いた。さらに、濾紙１３，１４には、ポリプロピレン繊維を４０重量％、麻パルプと木材パルプをそれぞれ３０％ずつ含んだ不織布で、秤量が約５０ｇ／ｍ2、厚さが１７７μｍ、密度が０．２８ｇ／ｍ3のものを用い、コーヒー粉末収納部材１２の底面１２ｂに不織布１４を２枚重ねで貼着した。なお、カップ状容器１１は、段１１ｅのレベルで湯が約１５５ｃｃ入る大きさとし、コーヒー粉末収納部材１２には、コーヒー豆を挽いた粉を約６〜７ｇ収納した。
【００２８】
以上のように構成したコーヒーメーカーに約８５°Ｃの湯を注いだところ、１分から１分半程度の時間で十分な濃さのコーヒーを抽出することができた。また、コーヒー粉末収納部材１２の底面１２ｂの不織布１４を１枚にした場合には、抽出時間がそれよりも短縮され、いくぶん薄いコーヒーを抽出することができた。ただし、不織布の厚みや材質を変えることにより、抽出度合いや抽出時間は適宜調整できるものである。
【００２９】
なお、カップ状容器１１とコーヒー粉末収納部材１２の大きさや形状は適宜定めればよい。また、濾紙１３，１４には、単層構造で全体にほぼ均一に熱可塑性樹脂繊維を含んだ不織布を用いてもカップ状容器１１及びコーヒー粉末収納部材１２の紙基材の熱可塑性樹脂層に加熱接着することは可能であるが、熱可塑性樹脂繊維を含んだ層と含まない層とから２層構造になった不織布を用いて熱可塑性樹脂繊維を含んだ層が容器１１及び収納部材１２の内面と接触するようにすると、その接触面側での熱可塑性樹脂繊維の含有密度が高くなるので特に良好な熱接着性が得られる。さらに、上記構成では不織布を容器１１及び収納部材１２に加熱接着しているが、熱可塑性樹脂繊維を含まない不織布を接着剤で容器１１及び収納部材１２に接着するようにしてもよい。
【００３０】
一方、第２実施形態に対応する実施例（第２実施例）においては、第１実施例の濾紙と同じ不織布を用いてコーヒー粉末収納部材１６を熱プレスにより成形した。コーヒー粉末収納部材１６は、この不織布を２枚重ねにして成形してもよく、いずれの場合も、第１実施例と同じ程度の時間でコーヒーを抽出することができた。なお、この場合でも、不織布は単層構造で全体にほぼ均一に熱可塑性樹脂繊維を含んだものや、熱可塑性樹脂繊維を含んだ層と含まない層とから２層構造になったもので容器１１に熱接着するようにしたり、熱可塑性樹脂繊維を含まない不織布を接着剤で容器１１に接着するようにしてもよい。
【図面の簡単な説明】
【図１】  本発明に係る簡易ドリップ式コーヒーメーカーの第１実施形態を示す平面図である。
【図２】  図１のコーヒーメーカーの中央横断面図である。
【図３】  図２のコーヒーメーカーの変形例である。
【図４】  本発明に係る簡易ドリップ式コーヒーメーカーの第２実施形態を示す中央横断面図である。
【符号の説明】
１  コーヒーカップ
２  隙間
１１  カップ状容器
１１ａ  底面
１１ｂ  開口
１１ｃ  側壁
１１ｄ  フランジ
１１ｅ  段
１２  コーヒー粉末収納部材
１２ａ  フランジ
１２ｂ  底面
１２ｃ  開口
１３，１４  濾紙
１５  コーヒー粉末
１６  コーヒー粉末収納部材
１６ａ  フランジ
１６ｂ  底面
１６ｃ  濾過部
【図１】
0003670744.tif 000002
【図２】
0003670744.tif 000003
【図３】
0003670744.tif 000004
【図４】
0003670744.tif 000005